(57)【要約】  液晶表示装置の駆動方法であって、この液晶表示装置は広視野角モードと狭視野角モードを含み、広視野角モードでは、液晶表示装置の全フレームは同じ表示輝度を有し、狭視野角モードでは、液晶表示装置の奇数フレームと偶数フレームは異なる表示輝度を有する。この液晶表示装置は狭視野角モードでは、明フレームと暗フレームが交互に駆動する方式で、バイアス電圧モード下で画質が原画面より良くて、むらの程度が明らかに軽くなり、現在の液晶表示装置のバイアス電圧モード下の大視野角むらの問題を改善し、動画表示の滑らかさが向上し、ユーザーエクスペリエンスが向上する。
2021508376.tif 000002
【特許請求の範囲】
【請求項１】
広視野角モードと狭視野角モードを有する液晶表示装置の駆動方法であって、広視野角モードでは前記液晶表示装置の全フレームは同じ表示輝度を有し、狭視野角モードでは前記液晶表示装置の奇数フレームと偶数フレームは異なる表示輝度を有することを特徴とする液晶表示装置の駆動方法。
【請求項２】
前記狭視野角モードでは、前記液晶表示装置の奇数フレームの表示輝度は偶数フレームの表示輝度より高く、或いは前記液晶表示装置の偶数フレームの表示輝度は奇数フレームの表示輝度より高いことを特徴とする請求項１に記載の液晶表示装置の駆動方法。
【請求項３】
前記狭視野角モードでは、前記液晶表示装置は駆動電圧を変える方式で奇数フレームと偶数フレームが異なる表示輝度を有することを実現することを特徴とする請求項２に記載の液晶表示装置の駆動方法。
【請求項４】
前記狭視野角モードでは、前記液晶表示装置は電圧値が異なる二組のガンマ電圧で駆動し、奇数フレームの表示のときにその中の一組のガンマ電圧を用い、偶数フレームの表示のときにその中のもう一組のガンマ電圧を用いることを特徴とする請求項３に記載の液晶表示装置の駆動方法。
【請求項５】
前記狭視野角モードでは、前記液晶表示装置は画像データの処理で奇数フレームと偶数フレームが異なる表示輝度を有することを実現することを特徴とする請求項２に記載の液晶表示装置の駆動方法。
【請求項６】
前記液晶表示装置は画像処理装置（３１）を含み、前記画像処理装置（３１）で画像データに加算処理又は減算処理を行い、処理後の画像データが前記液晶表示装置に送られて表示されることを特徴とする請求項５に記載の液晶表示装置の駆動方法。
【請求項７】
前記液晶表示装置は第一基板（２１）、前記第一基板（２１）と対向するように配置される第二基板（２２）、及び前記第一基板（２１）と前記第二基板（２２）の間に配置される液晶層（２３）を含み、前記第一基板（２１）には補助電極（２１５）が設けられ、前記第二基板（２２）には共通電極（２２５）と画素電極（２２７）が設けられ、
前記共通電極（２２５）に直流参考電圧（Ｖｒｅｆ）を印加して、前記補助電極（２１５）に前記共通電極（２２５）と同じまたは近い電圧を印加すると、前記補助電極（２１５）と前記共通電極（２２５）の電圧差は設定値より小さくなり、前記液晶表示装置は広視野角モードとなり、
前記共通電極（２２５）に直流参考電圧（Ｖｒｅｆ）を印加して、前記補助電極（２１５）に前記直流参考電圧（Ｖｒｅｆ）を中心に上下に偏る交流電圧（Ｖａｃ）を印加すると、前記補助電極（２１５）と前記共通電極（２２５）の電圧差は設定値より大きくなり、前記液晶表示装置は狭視野角モードとなることを特徴とする請求項１に記載の液晶表示装置の駆動方法。
【請求項８】
前記液晶表示装置は第一基板（２１）、前記第一基板（２１）と対向するように配置される第二基板（２２）、及び前記第一基板（２１）と前記第二基板（２２）の間に配置される液晶層（２３）を含み、前記第一基板（２１）には補助電極（２１５）が設けられ、前記第二基板（２２）には共通電極（２２５）と画素電極（２２７）が設けられ、
前記補助電極（２１５）に直流参考電圧（Ｖｒｅｆ）を印加して、前記共通電極（２２５）に前記補助電極（２１５）と同じまたは近い電圧を印加すると、前記共通電極（２２５）と前記補助電極（２１５）の電圧差は設定値より小さくなり、前記液晶表示装置は広視野角モードとなり、
前記補助電極（２１５）に直流参考電圧（Ｖｒｅｆ）を印加して、前記共通電極（２２５）に前記直流参考電圧（Ｖｒｅｆ）を中心に上下に偏る交流電圧（Ｖａｃ）を印加すると、前記共通電極（２２５）と前記補助電極（２１５）の電圧差は設定値より大きくなり、前記液晶表示装置は狭視野角モードとなることを特徴とする請求項１に記載の液晶表示装置の駆動方法。
【請求項９】
前記交流電圧（Ｖａｃ）は二フレームごとに一回極性が変化し、前記交流電圧（Ｖａｃ）の周期（Ｔ２）は前記液晶表示装置の各フレームの表示時間（Ｔ１）の四倍であることを特徴とする請求項７又は８に記載の液晶表示装置の駆動方法。
【請求項１０】
前記交流電圧（Ｖａｃ）は一フレームごとに二回極性が変化し、前記交流電圧（Ｖａｃ）の周期（Ｔ２）は前記液晶表示装置の各フレームの表示時間（Ｔ１）と同じであることを特徴とする請求項７又は８に記載の液晶表示装置の駆動方法。
【請求項１１】
前記共通電極（２２５）と前記画素電極（２２７）は異なる層に位置して絶縁層（２２６）で隔てられ、前記画素電極（２２７）は前記共通電極（２２５）の上方に位置し、前記画素電極（２２７）は櫛状であり、前記共通電極（２２５）は全面状であることを特徴とする請求項７又は８に記載の液晶表示装置の駆動方法。
【請求項１２】
前記狭視野角モードの下で、前記液晶表示装置の画面更新頻度は１２０フレーム／秒であることを特徴とする請求項１に記載の液晶表示装置の駆動方法。
【請求項１３】
前記液晶表示装置にはユーザーが前記液晶表示装置の異なる視野角モードを切り替える視野角切り替えボタン（５０）が設けられることを特徴とする請求項１に記載の液晶表示装置の駆動方法。
【請求項１４】
前記液晶表示装置には検出センサー（９０）が設けられ、前記検出センサー（９０）は前記液晶表示装置の付近に人がいるか否かを検出し、検出結果によって異なる視野角モードを自動的に切り替えることを特徴とする請求項１に記載の液晶表示装置の駆動方法。
【請求項１５】
前記液晶表示装置はユーザーの使用シーンを検出し、検出結果によって異なる視野角モードを自動的に切り替えることを特徴とする請求項１に記載の液晶表示装置の駆動方法。
【発明の詳細な説明】
【技術分野】
【０００１】
本発明は液晶表示の技術領域に係り、特に液晶表示装置の駆動方法に関する。
【背景技術】
【０００２】
液晶表示装置（ｌｉｑｕｉｄ  ｃｒｙｓｔａｌ  ｄｉｓｐｌａｙ，ＬＣＤ）は画質がよく、体積が小さく、重量が軽く、駆動電圧が低く、パワー消耗が低く、輻射がなく、製造コストが相対的に低いという利点があり、タブレット表示の分野において主流となっている。
【０００３】
現在、液晶表示装置は、広視野角化が進んでおり、インプレーンスイッチングモード（Ｉｎ−Ｐｌａｎｅ  Ｓｗｉｔｃｈｉｎｇ，  ＩＰＳ）やフリンジフィールドスイッチングモード（Ｆｒｉｎｇｅ  Ｆｉｅｌｄ  Ｓｗｉｔｃｈｉｎｇ，ＦＦＳ）の液晶表示装置では広視野角が実現されている。しかし、今の社会では人々は自分のプライバシーをますます重視するようになっており、他人とシェアしたくないことがたくさんある。公共の場では、自分が携帯やパソコンを使用するときの内容が秘密であることを望む。このため、単一視野角モードの表示装置では使用者の要求を満たすことができなかった。広視野角の必要性に加えて、プライバシーが必要とされる場合、表示装置を狭視野角モードに切り替えられることが望ましい。
【０００４】
現在、カラーフィルター（ＣＦ）の一側の視野角制御電極を利用して液晶分子に垂直の電場を与え、広視野角と狭視野角の切り替えを実現する方式がある。図１と図２を参照すると、この液晶表示装置は上基板１１、下基板１２及び上基板１１と下基板１２の間の液晶層１３を含み、上基板１１には視野角制御電極１１１が設置される。図１に示すように、広視野角表示の時には、上基板１１の視野角制御電極１１１に電圧を印加せず、液晶表示装置は広視野角表示を実現する。図２に示すように、狭視野角表示が必要な時には、上基板１１の視野角制御電極１１１に電圧を印加し、液晶層１３の液晶分子は垂直方向の電場Ｅで傾動させ、液晶表示装置は広視野角下の光の漏れで狭視野角を実現する。
【発明の概要】
【発明が解決しようとする課題】
【０００５】
即ち、狭視野角モードにおいて、ＣＦ一側の視野角制御電極にバイアス電圧を印加することにより、液晶分子を傾動させて広視野角下の光の漏れを生じさせ、液晶表示装置の可視角度を制御し、プライバシーの効果を実現する。しかし、狭視野角のモードにおいて、大視野角の表示のむら（即ちmura）の問題があり、ユーザーの使用感に影響する。
【０００６】
本発明は、狭視野角モードにおける、液晶表示装置の大視野角の表示のむらの問題を回避し、ユーザーエクスペリエンスを向上させることができる液晶表示装置の駆動方法を提供することを目的とする。
【課題を解決するための手段】
【０００７】
本発明の実施形態は広視野角モードと狭視野角モードを有する液晶表示装置の駆動方法を提供し、広視野角モードでは液晶表示装置の全フレームは同じ表示輝度を有し、狭視野角モードでは液晶表示装置の奇数フレームと偶数フレームは異なる表示輝度を有する。
【０００８】
更に、狭視野角モードでは、液晶表示装置の奇数フレームの表示輝度は偶数フレームの表示輝度より高く、或いは液晶表示装置の偶数フレームの表示輝度は奇数フレームの表示輝度より高い。
【０００９】
更に、狭視野角モードでは、液晶表示装置は駆動電圧を変える方式で奇数フレームと偶数フレームが異なる表示輝度を有することを実現する。
【００１０】
更に、狭視野角モードでは、液晶表示装置は電圧値が異なる二組のガンマ電圧で駆動し、奇数フレームの表示のときにその中の一組のガンマ電圧を用い、偶数フレームの表示のときにその中のもう一組のガンマ電圧を用いる。
【００１１】
更に、狭視野角モードでは、液晶表示装置は画像データの処理で奇数フレームと偶数フレームが異なる表示輝度を有することを実現する。
【００１２】
更に、液晶表示装置は画像処理装置を含み、画像処理装置で画像データに加算処理又は減算処理を行い、処理後の画像データが液晶表示装置に送られて表示される。
【００１３】
更に、液晶表示装置は第一基板、第一基板と対向するように配置される第二基板、及び第一基板と第二基板の間に配置される液晶層を含み、第一基板には補助電極が設けられ、第二基板には共通電極と画素電極が設けられ、
共通電極に直流参考電圧を印加し、補助電極に共通電極と同じまたは近い電圧を印加すると、補助電極と共通電極の電圧差は設定値より小さくなり、液晶表示装置は広視野角モードとなり、
更に、共通電極に直流参考電圧を印加して、補助電極に直流参考電圧を中心に上下に偏る交流電圧を印加すると、補助電極と共通電極の電圧差は設定値より大きくなり、液晶表示装置は狭視野角モードとなる。
【００１４】
更に、液晶表示装置は第一基板、第一基板と対向するように配置される第二基板、及び第一基板と第二基板の間に配置される液晶層を含み、第一基板には補助電極が設けられ、第二基板には共通電極と画素電極が設けられ、
補助電極に直流参考電圧を印加して、共通電極に補助電極と同じまたは近い電圧を印加すると、共通電極と補助電極の電圧差は設定値より小さくなり、液晶表示装置は広視野角モードとなり、
更に、補助電極に直流参考電圧を印加して、共通電極に直流参考電圧を中心に上下に偏る交流電圧を印加すると、共通電極と補助電極の電圧差は設定値より大きくなり、液晶表示装置は狭視野角モードとなる。
【００１５】
更に、交流電圧は二フレームごとに一回極性が変化し、交流電圧の周期は液晶表示装置の各フレームの表示時間の四倍である。
【００１６】
更に、交流電圧は一フレームごとに二回極性が変化し、交流電圧の周期は液晶表示装置の各フレームの表示時間と同じである。
【００１７】
更に、共通電極と画素電極は異なる層に位置して絶縁層で隔てられ、画素電極は共通電極の上方に位置し、画素電極は櫛状であり、共通電極は全面状である。
【００１８】
更に、狭視野角モードでは、液晶表示装置の画面更新頻度は１２０フレーム／秒である。
【００１９】
更に、液晶表示装置にはユーザーが液晶表示装置の異なる視野角モードを切り替える視野角切り替えボタンが設けられる。
【００２０】
更に、液晶表示装置には検出センサーが設けられ、検出センサーは、液晶表示装置の付近に人がいるか否かを検出し、検出結果によって異なる視野角モードを自動的に切り替える。
【００２１】
更に、液晶表示装置はユーザーの使用シーンを検出し、検出結果によって異なる視野角モードを自動的に切り替える。
【発明の効果】
【００２２】
本発明の実施形態が提供する液晶表示装置の駆動方法は、狭視野角モードにおいて、明フレームと暗フレームが交互に駆動する方式で、バイアス電圧モード下で画質が原画面より良くて、むらの程度が明らかに軽くなり、現在の液晶表示装置のバイアス電圧モード下の大視野角むらの問題を改善し、動画表示の滑らかさが向上し、ユーザーエクスペリエンスが向上する。
【図面の簡単な説明】
【００２３】
【図１】従来の１種の液晶表示装置の広視野角時の断面図である。
【図２】図１の液晶表示装置の狭視野角時の断面図である。
【図３】本発明の一実施形態の液晶表示装置の概略回路図である。
【図４】図３の液晶表示装置の広視野角時の断面図である。
【図５】図３の液晶表示装置の狭視野角時の断面図である。
【図６】図３の液晶表示装置の駆動方法のフローチャートである。
【図７】図３の液晶表示装置の狭視野角時の駆動波形の一つを示す図である。
【図８】図３の液晶表示装置の狭視野角時の駆動波形のもう一つを示す図である。
【図９ａ】図３の液晶表示装置の狭視野角時のその他の駆動波形を示す図である。
【図９ｂ】図３の液晶表示装置の狭視野角時のその他の駆動波形を示す図である。
【図１０】図３の液晶表示装置の概略ブロック図である。
【図１１ａ】図３の液晶表示装置の平面構成の一例を示す図である。
【図１１ｂ】図３の液晶表示装置の平面構成の一例を示す図である。
【図１２】図３の液晶表示装置の他の平面構成を示す図である。
【発明を実施するための形態】
【００２４】
本発明の目的、技術案と利点をより明らかにするために以下では図面を参照して本発明の実施形態に対してさらなる描写を行う。
【００２５】
図３−５を参照すると、本発明の実施形態は１種の液晶表示装置を提供し、この液晶表示装置は広視野角モード（ｗｉｄｅ  ｖｉｅｗｉｎｇ  ａｎｇｌｅ，  ＷＶＡ）と狭視野角モード（ｎａｒｒｏｗ  ｖｉｅｗｉｎｇ  ａｎｇｌｅ，  ＮＶＡ）の間で切り替えできる。この液晶表示装置は第一基板２１、第一基板２１と対向するように配置される第二基板２２、及び第一基板２１と第二基板２２の間に配置される液晶層２３を含む。ここで、第一基板２１は例えばカラーフィルター基板であり、第二基板２２は例えば薄膜トランジスタアレイ基板である。
【００２６】
第一基板２１の液晶層２３に向かう側には、カラーレジスト層２１２、ブラックマトリクス２１３、平坦層２１４及び補助電極２１５が設けられる。本実施形態において、カラーレジスト層２１２とブラックマトリクス２１３はずらして設けられ、第一基板２１の液晶層２３に向かう側の面上に形成される。カラーレジスト層２１２は例えば赤色（Ｒ）、緑色（Ｇ）、青色（Ｂ）３種の色の色抵抗材料を含み、平坦層２１４はカラーレジスト層２１２とブラックマトリクス２１３を覆い、補助電極２１５は平坦層２１４上に形成される。補助電極２１５は全面構造であってもよいし、パターン構造であってもよい。
【００２７】
第二基板２２の液晶層２３に向かう側には、走査線２２２、データ線２２３、薄膜トランジスタ（ＴＦＴ）２２４、共通電極２２５、絶縁層２２６および画素電極２２７が設けられる。そのうち、複数の走査線２２２と複数のデータ線２２３が交互に交差して複数の画素ユニットＰを限定形成する。各画素ユニットＰ内に画素電極２２７が配置され、各画素ユニットＰ内の画素電極２２７は薄膜トランジスタ２２４を通して対応する走査線２２２と対応するデータ線２２３と接続される。共通電極２２５と画素電極２２７は絶縁層２２６を通して隔離され互いに絶縁されており、画素電極２２７は共通電極２２５の上方または下方に位置する。本実施形態において、画素電極２２７は共通電極２２５の上方に位置し、共通電極２２５は全面構造であり、画素電極２２７は櫛状構造であり、このようにしてこの液晶表示装置はフリンジフィールドスイッチング型（Ｆｒｉｎｇｅ  Ｆｉｅｌｄ  Ｓｗｉｔｃｈｉｎｇ，ＦＦＳ）となり、通常の表示時において広い視野角を得られる。
【００２８】
その他の実施形態として、共通電極２２５と画素電極２２７は同一層に位置して互いに絶縁されてもよく、この時は絶縁層２２６を省略でき、画素電極２２７は櫛状構造であり、共通電極２２５は個々の画素電極２２７と対応する位置で櫛状構造として、画素電極２２７に挿入して整合させることで、この液晶表示装置はインプレーンスイッチング型（Ｉｎ−Ｐｌａｎｅ  Ｓｗｉｔｃｈｉｎｇ，  ＩＰＳ）となり、通常の表示時において広い視野角を得られる。
【００２９】
なお、本実施形態では、第一基板２１と第二基板２２には本発明に係る膜層構造のみを示し、関係のない膜層構造は省略している。
【００３０】
本実施形態において、液晶層２３中には正性液晶分子、即ち誘電異方性が正の液晶分子を利用する。初期状態（即ち液晶表示装置に電圧を印加しない場合）では、液晶層２３内の正性液晶分子は第一基板２１及び第二基板２２と基本的に平行するライダウンの姿勢であり、正性液晶分子の長軸方向は第一基板２１及び第二基板２２の表面と基本的に平行する（図４参照）。実際の応用では、液晶層２３内の正性液晶分子は第一基板２１及び第二基板２２との間に相対的に小さな開始傾角を有してもよく、この開始傾角の範囲は１０度より小さくて良く、即ち０°≦θ≦１０°であってもよい。
【００３１】
図４と５を参照して、補助電極２１５と共通電極２２５に異なる電圧を印加することによって、この液晶表示装置の広視野角モードと狭視野角モードとの切り替えを制御できる。
【００３２】
例えば、共通電極２２５に直流参考電圧Ｖｒｅｆを印加して、補助電極２１５に共通電極２２５と同じまたは近い電圧を印加すると、補助電極２１５と共通電極２２５の電圧差は設定値より小さく（例えば１Ｖより小さく）なり、液晶層２３内の液晶分子の傾斜角度はほとんど変化しなくて、ライダウンに近い姿勢を保持し、この時この液晶表示装置は通常の広視野角モードである（図４参照）。共通電極２２５に直流参考電圧Ｖｒｅｆを印加して、補助電極２１５に直流参考電圧Ｖｒｅｆを中心に上下に偏る交流電圧Ｖａｃを印加すると、補助電極２１５と共通電極２２５の電圧差は設定値より大きく（例えば３Ｖより大きく）なり、液晶ボクスの第一基板２１及び第二基板２２の間に比較的強い垂直電場Ｅが発生し、液晶分子はこの垂直電場Ｅの作用で回転し、液晶分子は第一基板２１、第二基板２２との間の傾斜角度が増えて、液晶分子はライダウンの姿勢から傾斜した姿勢へと変化し、この液晶表示装置は広視野角観察下の光の漏れで、最終的に狭視野角モードとなる（図５参照）。
【００３３】
或いは、補助電極２１５に直流参考電圧Ｖｒｅｆを印加して、共通電極２２５に補助電極２１５と同じまたは近い電圧を印加すると、共通電極２２５と補助電極２１５の電圧差は設定値より小さく（例えば１Ｖより小さく）なり、液晶層２３内の液晶分子の傾斜角度はほとんど変化せず、ライダウンに近い姿勢を保持し、この時この液晶表示装置は通常の広視野角モードである（図４参照）。補助電極２１５に直流参考電圧Ｖｒｅｆを印加して、共通電極２２５に直流参考電圧Ｖｒｅｆを中心に上下に偏る交流電圧Ｖａｃを印加すると、共通電極２２５と補助電極２１５の電圧差は設定値より大きく（例えば３Ｖより大きく）なり、液晶ボクスの第一基板２１及び第二基板２２の間に比較的強い垂直電場Ｅが発生し、液晶分子はこの垂直電場Ｅの作用で回転し、液晶分子は第一基板２１、第二基板２２との間の傾斜角度が増えて、液晶分子はライダウンの姿勢から傾斜の姿勢へと変化し、この液晶表示装置は広視野角観察下の光の漏れで、最終的に狭視野角モードとなる（図５参照）。  
【００３４】
図４−５に示すように、第一基板２１上の補助電極２１５に電圧信号を印加するため、液晶表示装置の周辺非表示エリアで導電接着剤８０を通して第一基板２１と第二基板２２を電気的に接続でき、駆動回路６０から第二基板２２に電圧信号を供給し、また第二基板２２から導電接着剤８０を通して電圧信号を第一基板２１上の補助電極２１５に供給する。
【００３５】
広視野角モードでは、補助電極２１５と共通電極２２５との間の電圧差は０Ｖ−１Ｖでありうる。好ましくは、補助電極２１５と共通電極２２５には同じ電圧を印加し、このようにすることで補助電極２１５と共通電極２２５との間の電圧差はゼロとなり、良好な広視野角表示効果を実現できる。
【００３６】
狭視野角モードでは、補助電極２１５と共通電極２２５との間の電圧差は３Ｖ−７Ｖでありうる。例えば、補助電極２１５と共通電極２２５との間の電圧差は必要に応じて４Ｖ、５Ｖ、６Ｖなどにしてよく、これにより所望の狭視野角表示効果を実現できる。
【００３７】
図６を参照して、本発明の実施形態は広視野角モードと狭視野角モードを有する液晶表示装置の駆動方法をさらに提供し、この液晶表示装置は視野角切り替え信号ＨＶＡに基づいて望ましい視野角モードを判定でき、この視野角切り替え信号ＨＶＡはユーザーにより発信されてもよく、この液晶表示装置が自動的に発生させてもよい。具体的には、この視野角切り替え信号ＨＶＡはレベル信号であってもよく、この液晶表示装置はこの視野角切り替え信号ＨＶＡのレベルの高低に基づいて求められる視野角モードを判定できる。例えば、この視野角切り替え信号ＨＶＡが高レベルである場合、この液晶表示装置は狭視野角モードに切り替え、この視野角切り替え信号ＨＶＡが低レベルである場合、この液晶表示装置は広視野角モードに切り替える。
【００３８】
前述のように、補助電極２１５と共通電極２２５のうちの一方に直流参考電圧Ｖｒｅｆを印加して、補助電極２１５と共通電極２２５のうちの他方に直流参考電圧Ｖｒｅｆと同じまたは近い電圧を印加した場合、この液晶表示装置は広視野角モードである。補助電極２１５と共通電極２２５のうちの一方に直流参考電圧Ｖｒｅｆを印加して、補助電極２１５と共通電極２２５のうちの他方に直流参考電圧Ｖｒｅｆを中心に上下に偏る交流電圧Ｖａｃを印加する時、この液晶表示装置は狭視野角モードである。
【００３９】
ここで、広視野角モードでは、液晶表示装置の全部のフレームは同じ表示輝度を有するが、狭視野角モードでは、液晶表示装置の奇数フレームと偶数フレームは異なる表示輝度を有する。
【００４０】
具体的には、狭視野角モードでは、液晶表示装置の奇数フレームと偶数フレームは異なる表示輝度を有し、液晶表示装置の奇数フレームの表示輝度は偶数フレームの表示輝度より高く、或いは液晶表示装置の偶数フレームの表示輝度は奇数フレームの表示輝度より高い。
【００４１】
狭視野角モードで、液晶表示装置の奇数フレームと偶数フレームとで異なる表示輝度を具備することは、奇数フレームと偶数フレームで駆動電圧を変える方式により実現できる。液晶表示装置の表示輝度はデータ線２２３に印加する駆動電圧Ｖｐｉｘｅｌと関係しているからである。駆動電圧を変える方式は、以下のａ１−ａ６のいずれかであってもよい。
【００４２】
ａ１：奇数フレームでは、データ線２２３に印加する駆動電圧Ｖｐｉｘｅｌを上昇させ、奇数フレームを明フレームとし、偶数フレームでは、データ線２２３に印加する駆動電圧Ｖｐｉｘｅｌを低下させ、偶数フレームを暗フレームとする。
【００４３】
ａ２：偶数フレームでは、データ線２２３に印加する駆動電圧Ｖｐｉｘｅｌを上昇させ、偶数フレームを明フレームとし、奇数フレームでは、データ線２２３に印加する駆動電圧Ｖｐｉｘｅｌを低下させ、奇数フレームを暗フレームとする。
【００４４】
ａ３：奇数フレームでは、データ線２２３に印加する駆動電圧Ｖｐｉｘｅｌを上昇させ、奇数フレームを明フレームとし、偶数フレームでは、データ線２２３に印加する駆動電圧Ｖｐｉｘｅｌを維持して、偶数フレームを暗フレームとする。
【００４５】
ａ４：偶数フレームでは、データ線２２３に印加する駆動電圧Ｖｐｉｘｅｌを上昇させ、偶数フレームを明フレームとし、奇数フレームでは、データ線２２３に印加する駆動電圧Ｖｐｉｘｅｌを維持して、奇数フレームを暗フレームとする。
【００４６】
ａ５：奇数フレームでは、データ線２２３に印加する駆動電圧Ｖｐｉｘｅｌを低下させ、奇数フレームを暗フレームとし、偶数フレームでは、データ線２２３に印加する駆動電圧Ｖｐｉｘｅｌを維持して、偶数フレームを明フレームとする。
【００４７】
ａ６：偶数フレームでは、データ線２２３に印加する駆動電圧Ｖｐｉｘｅｌを低下させ、偶数フレームを暗フレームとし、奇数フレームでは、データ線２２３に印加する駆動電圧Ｖｐｉｘｅｌを維持して、奇数フレームを明フレームとする。
【００４８】
図７はＬ２５５のグレースケール静止画を表示する際の、液晶表示装置の駆動波形の一例を示す図である。図７を参照すると、狭視野角モードでは、液晶表示装置の画面更新頻度（即ちフレームレート）が１２０フレーム／秒であると仮定し、そのうちの６０フレームの奇数フレームの画面のデータ線２２３に高電圧を印加することで、これに対応した高輝度の表示がされ、そのうちのもう６０フレームの偶数フレームの画面のデータ線２２３に低電圧を印加することで、これに対応した低輝度の表示がされる。つまり、同一のグレースケール（例えばＬ２５５のグレースケール）の表示の時、奇数フレームのデータ線２２３に印加する駆動電圧は偶数フレームのデータ線２２３に印加する駆動電圧より高いので奇数フレームの輝度が偶数フレームの輝度より大きい。図７に示すように、Frame NとFrame N+2が明フレームであり，Frame N+1とFrame N+3が暗フレームである。
【００４９】
図７では、一例としてＬ２５５のグレースケールのみを表示しているが、実際には異なるグレースケールに対応する明フレームと暗フレームの駆動電圧が二組の異なるグレースケール−電圧関係曲線（Ｌ−Ｖ曲線）によって定義できる。つまり、狭視野角モードでは、液晶表示装置は二組の電圧値が異なるガンマ電圧で駆動でき、奇数フレームの表示のときにその中の一組のガンマ電圧（例えばＧａｍｍａ１）を用い、偶数フレームの表示のときにその中のもう一組のガンマ電圧（例えばＧａｍｍａ２）を用いる。Ｇａｍｍａ１がＧａｍｍａ２より大きい場合、奇数フレームが明フレームであって偶数フレームが暗フレームであることを実現できる。Ｇａｍｍａ１がＧａｍｍａ２より小さい場合、奇数フレームが暗クフレームであって偶数フレームが明フレームであることを実現できる。
【００５０】
具体的には、抵抗ストリング（ｒｅｓｉｓｔａｎｃｅ  ｂｕｎｃｈ）またはガンマチップを利用して必要とされる異なる組のガンマ電圧即ち前記のＧａｍｍａ１とＧａｍｍａ２を得られる。
【００５１】
図７に示すように、狭視野角モードでは、補助電極２１５又は共通電極２２５に印加する交流電圧Ｖａｃは二フレームごとに一回極性が変化し、この時交流電圧Ｖａｃの周期Ｔ２は液晶表示装置の各フレームの表示時間Ｔ１の四倍である。
【００５２】
図８に示すように、狭視野角モードでは、補助電極２１５又は共通電極２２５に印加する交流電圧Ｖａｃは各フレームごとに二回極性が変化し、交流電圧Ｖａｃの周期Ｔ２は液晶表示装置の各フレームの表示時間Ｔ１と同じである。
【００５３】
図７と図８において、この交流電圧Ｖａｃの波形は方形波であるが、図９ａと図９ｂにおいて図８と違うのは、この交流電圧Ｖａｃの波形は三角形波またはサイン（ｓｉｎ）波である。
【００５４】
選択的に、狭視野角モードで、液晶表示装置の奇数フレームと偶数フレームとで異なる表示輝度を具備することは、画像データ（即ち表示しようとするデータ）の処理の方式により実現できる。図１０を参照して、この液晶表示装置は画像処理装置３１、表示コントローラー３２及びソース駆動器３３をさらに含み、画像処理装置３１で画像データに加算処理又は減算処理を行い、処理後の画像データは表示コントローラー３２を通してソース駆動器３３に伝えて、ソース駆動器３３が各データ線２２４を通して液晶表示装置（ＬＣＤ）に伝えて表示される。
【００５５】
例えば、画像データのもとの対応する表示グレースケールがＬｎ（ＬｎはＬ０−Ｌ２５５の中のいずれかのグレースケール）であると仮定して、画像データに加算処理を行った後、この画像データに対応する表示グレースケールがＬ（ｎ＋１）となり、表示グレースケールが上がることに相当し、表示輝度も上がる。画像データに減算処理を行った後、この画像データに対応する表示グレースケールがＬ（ｎ−１）となり、表示グレースケールが下がることに相当し、表示輝度も下がる。つまり、画像データに加算処理を行って表示輝度を上げられ、画像データに減算処理を行って表示輝度を下げられる。因って、画像データの処理の方式は以下ｂ１−ｂ６の中のいずれか１種である。
【００５６】
ｂ１：奇数フレームの画像データに加算処理を行って、奇数フレームを明フレームとし、偶数フレームの画像データに減算処理を行って、偶数フレームを暗フレームとする。
【００５７】
ｂ２：偶数フレームの画像データに加算処理を行って、偶数フレームを明フレームとし、奇数フレームの画像データに減算処理を行って、奇数フレームを暗フレームとする。
【００５８】
ｂ３：奇数フレームの画像データに加算処理を行って、奇数フレームを明フレームとし、偶数フレームの画像データは保持されて、偶数フレームは暗フレームとなる。
【００５９】
ｂ４：偶数フレームの画像データに加算処理を行って、偶数フレームを明フレームとし、奇数フレームの画像データは保持されて、奇数フレームは暗フレームとなる。
【００６０】
ｂ５：奇数フレームの画像データに減算処理を行って、奇数フレームを暗フレームとし、偶数フレームの画像データは保持されて、偶数フレームは明フレームとなる。
【００６１】
ｂ６：偶数フレームの画像データに減算処理を行って、偶数フレームを暗フレームとし、奇数フレームの画像データは保持されて、奇数フレームは明フレームとなる。
【００６２】
図１１ａと図１１ｂを参照して、液晶表示装置には液晶表示装置の異なる視野角モードを切り替える視野角切り替えボタン５０が設けられる。視野角切り替えボタン５０は機械ボタンであってもよいし（図１１ａに示すように）、仮想ボタンであってもよい（図１１ａに示すように、ウィンドウで設定する）。ユーザーが広視野角と狭視野角を切り替える時、視野角切り替えボタン５０の操作で液晶表示装置に視野角切り替え信号ＨＶＡを発信し、最終的に駆動回路６０により補助電極２１５と共通電極２２５に印加する電圧を制御し、このようにして広視野角と狭視野角の切り替えを実現する。因って、視野角切り替えボタン５０の操作で、ユーザーが広視野角と狭視野角の切り替えを軽やかに実現でき、操作の柔軟性と利便性が高い。
【００６３】
図１２を参照して、別の実施形態では、液晶表示装置には検出センサー９０が設けられ、検出センサー９０は液晶表示装置の付近に人がいるか否かを検出する。検出センサー９０の数量は複数であって、液晶表示装置のケースに分布してよい。検出センサー９０は赤外線センサーであってもよい。液晶表示装置のコントローラーは検出センサー９０の検出結果によって液晶表示装置の広視野角と狭視野角の自動の切り替えを制御する。例えば、検出センサー９０が液晶表示装置の付近に人がいることを検出した場合、液晶表示装置は自動的に狭視野角モードに切り替わるように制御され、検出センサー９０が液晶表示装置の付近に人がいないことを検出した場合、液晶表示装置は自動的に広視野角モードに切り替わるように制御される。検出センサー９０の設置によって、広視野角と狭視野角を自動的に切り替えでき、ユーザーが手で広視野角と狭視野角を切り替える必要がなく、ユーザーエクスペリエンスが向上する。
【００６４】
また、別の実施形態で、ユーザーの使用シーンに基づいて液晶表示装置の広視野角と狭視野角の自動の切り替えを制御できる。例えば、ユーザーがメール使用中またはパスコード出力中などのプライバシーが必要とされる応用シーンにあることを検出した場合、液晶表示装置が自動的に狭視野角モードに切り替わるように制御し、ユーザーがこれらのプライバシーの応用シーンを使用していない場合、液晶表示装置が自動的に広視野角モードに切り替わるように制御する。
【００６５】
本発明の実施形態が提供する液晶表示装置の駆動方法は狭視野角モードにおいて、明フレームと暗フレームが交互に駆動する方式で、バイアス電圧モード下で画質が原画面より良くて、むらの程度が明らかに軽くなり、現在の液晶表示装置のバイアス電圧モード下の大視野角むらの問題を改善し、動画表示の滑らかさが向上し、ユーザーエクスペリエンスが向上する。
【００６６】
本発明の実施形態が提供する液晶表示装置は、異なる場面で広視野角と狭視野角の切り替えを軽やかに実現でき、操作の柔軟性と利便性が高く、娯楽映像とプライバシーの確保を一体にする多機能液晶表示装置が実現できる。
【００６７】
以上、本発明の実施の形態について説明したが、本発明は上記実施の形態に限定されるものではなく、その要旨を逸脱することなく種々の設計変更を行うことが可能である。
【図１】
2021508376.tif 000003
【図２】
2021508376.tif 000004
【図３】
2021508376.tif 000005
【図４】
2021508376.tif 000006
【図５】
2021508376.tif 000007
【図６】
2021508376.tif 000008
【図７】
2021508376.tif 000009
【図８】
2021508376.tif 000010
【図９ａ】
2021508376.tif 000011
【図９ｂ】
2021508376.tif 000012
【図１０】
2021508376.tif 000013
【図１１ａ】
2021508376.tif 000014
【図１１ｂ】
2021508376.tif 000015
【図１２】
2021508376.tif 000016
【国際調査報告】
2021508376.tif 000017
2021508376.tif 000018
2021508376.tif 000019
2021508376.tif 000020